(57)【要約】【課題】  巻芯から印画紙の終端が外れるまで印画紙を引き出した後でも、円滑な巻き戻しが可能なペーパーマガジンを構成する。【解決手段】  軸部Ｓの軸芯に沿う方向で矩形となるよう枠体を構成し、この枠体の内部に複数のリブ状のガイド体７０を形成し、このガイド体７０のガイド面Ｕを軸部Ｓの軸芯を中心とするほぼ円形に成形し、隣り合うガイド体７１、７２との間には段差Ｙを作り出して夫々の隙間に印画紙Ｐの終端Ｐｅが入り込まないように構成した【選択図】        図９
2006001677.tif 000002
【特許請求の範囲】
【請求項１】
箱状の枠体の内部にペーパーロールを回転自在に支持する軸部と、この軸部に支持したペーパーロールから引き出されたペーパーを搬送ローラで挟み込んで枠体に形成した開口から送り出すペーパー搬送系と、およびこの搬送ローラに正転駆動力及び逆転駆動力を伝えることにより前記開口からのペーパーの送り出し及び巻き戻しを行う伝動機構とを備えているペーパーマガジンであって、
該ペーパーマガジンを、所定の姿勢にセットした場合において、該ペーパーマガジンから引き出したペーパーの終端が前記軸部から外れた後に、このペーパーの巻き戻しを行った際に、垂れ下がり姿勢にあるペーパーの終端に接触して巻き戻し方向に案内するガイド体を、該ペーパーマガジン内の下方に位置する前記枠体の内壁面に設けているペーパーマガジン。
【請求項２】
前記所定の姿勢は、前記開口から前記ペーパーを水平方向に送り出す姿勢と、前記開口から前記ペーパーを鉛直下方に送り出す姿勢との少なくとも１つの姿勢を含んで構成されている請求項１記載のペーパーマガジン。
【請求項３】
前記ガイド体が、前記軸部の軸芯に沿う方向視において、そのガイド面が前記軸芯を中心とした、ほぼ円形となる形状で前記枠体の内部に形成されている請求項１又は２記載のペーパーマガジン。
【請求項４】
前記ガイド体が、前記ペーパーの表面に対して直交する姿勢で、前記枠体の内面に一体形成された複数のリブ状に構成されている請求項３記載のペーパーマガジン。
【請求項５】
前記ガイド体が、前記ペーパーの巻き戻し時にペーパーの終端に接触して、その終端を前記軸部の方向に力を作用させる傾斜部を備えている請求項１又は２記載のペーパーマガジン。
【請求項６】
前記枠体が、前記軸部の軸芯と平行姿勢となる支軸周りで揺動開閉自在に連結された２部材で構成されると共に、前記ガイド体が前記２部材の隣接する位置に配置され、夫々のガイド体のうち前記ペーパーの巻き戻し時に下流側に位置するもののガイド面における前記軸芯からの距離を、上流側に位置するガイド面における前記軸芯からの距離より小さくする段差を形成してある請求項１又は２記載のペーパーマガジン。
【発明の詳細な説明】
【技術分野】
【０００１】
本発明は、箱状の枠体の内部にペーパーロールを回転自在に支持する軸部を備え、この軸部に支持したペーパーロールから引き出されたペーパーを搬送ローラで挟み込んで枠体に形成した開口から送り出すペーパー搬送系を形成すると共に、この搬送ローラと前記軸部とに正転駆動力及び逆転駆動力を伝えることにより前記開口からのペーパーの送り出し及び巻き戻しを行う伝動機構を備えているペーパーマガジンに関する。
【背景技術】
【０００２】
上記のように構成されたペーパーマガジンと関連する技術として、特許文献１及び特許文献２に記載されたペーパーマガジンが存在する。特許文献１のペーパーマガジンは支軸（本発明の軸体）に対してロール状の印画紙を支持し、このロール状の印画紙から引き出された印画紙の部位を挟み込んで開口から送り出す一対のローラを備え、また、この一対のローラと支軸とを連動させるギヤ式の伝動系を備えている。この伝動系を介してローラと支軸とを正転方向に回転させることにより、印画紙を送り出し、また、この伝動系を介してローラと支軸とを逆転方向に回転させることにより、印画紙を巻き戻せるように構成されている。
【０００３】
前記特許文献２では、ペーパーマガジン内にペーパーロールの巻芯が支持され、このペーパーの送り出しと巻き戻しとを行うように構成されている。具体的には、送り出しローラと巻き戻しローラとを圧着する位置関係に配置し、巻き戻しローラに連係して回転する第２駆動ローラをペーパーロールの外面に圧接するように配置している。そして、ペーパーを送り出す際には、送り出しローラを正転駆動することにより、この送り出しローラと巻き戻しローラとで圧着するペーパーをペーパー出口から送り出し、一方、ペーパーの巻き戻しを行う際には、巻き戻しローラを逆転駆動することにより、この巻き戻しローラと送り出しローラとで圧着するペーパーをペーパー出口に巻き戻すと同時に、第２駆動ローラからペーパーロールの外周に巻き戻し力を作用させるよう構成されている。また、この特許文献２では、前述のように構成された２つのペーパーマガジンのペーパー出口を下方の向けた姿勢と、横方向に向けた姿勢とでマガジン台に対してペーパーマガジンを支持した写真処理装置が開示されている。この写真処理装置は、一方のマガジンから送り出したペーパーを画像形成部において露光を行うように構成されている。
【０００４】
【特許文献１】特開２００２‐８７６５０号公報  （段落番号〔００１１〕〜〔００２２〕、図２〜図６）
【特許文献２】特開２００１‐９２０３１号公報  （段落番号〔００２３〕〜〔００４６〕、図１〜図３）
【発明の開示】
【発明が解決しようとする課題】
【０００５】
特許文献２に記載されるように、この種の写真処理装置では、ペーパーマガジンから送り出されたペーパーはカッターによりプリントサイズに切断され、この後に露光処理が行われる。ペーパーマガジンから送り出されたペーパーをペーパーマガジン内に巻き戻した場合には、ペーパーマガジンの位置からカッターまでの距離に等しい長さのペーパーがペーパーマガジン内に巻き戻されることになる。ペーパーの終端がペーパーロールの巻芯から外れた後、巻き戻しを行う場合、従来からのペーパーマガジンはペーパーの巻き戻しの際にペーパーの終端を案内する点について考慮されていなかった。このように、ペーパーの終端がペーパーロールの巻芯から外れた後に、巻き戻しを行った場合には、ペーパーの終端がペーパーマガジン内の突起部等に接触して円滑な巻き戻しを行えない。さらに、ペーパーの終端が折れ曲がりに繋がるという不具合があった。
【０００６】
本発明の目的は、ペーパーの終端がペーパーロールの巻芯から外れた後に巻き戻しを行う場合には、その姿勢に拘わらず円滑な巻き戻しが可能なペーパーマガジンを提供することにある。
【課題を解決するための手段】
【０００７】
本発明の特徴は、箱状の枠体の内部にペーパーロールを回転自在に支持する軸部と、この軸部に支持したペーパーロールから引き出されたペーパーを搬送ローラで挟み込んで枠体に形成した開口から送り出すペーパー搬送系と、およびこの搬送ローラに正転駆動力及び逆転駆動力を伝えることにより前記開口からのペーパーの送り出し及び巻き戻しを行う伝動機構とを備えているペーパーマガジンであって、
該ペーパーマガジンを、所定の姿勢にセットした場合において、該ペーパーマガジンから引き出したペーパーの終端が前記軸部から外れた後に、このペーパーの巻き戻しを行った際に、垂れ下がり姿勢にあるペーパーの終端に接触して巻き戻し方向に案内するガイド体を、該ペーパーマガジン内の下方に位置する前記枠体の内壁面に設けている点にある。
【０００８】
この構成により、ペーパーマガジンを所定の姿勢にセットした状態で、搬送ローラを正転駆動してペーパーを送り出し、この送り出しによってペーパーの終端がペーパーロールの軸部（例えば、巻芯）から外れた後に、搬送ローラを逆転駆動してペーパー巻き戻しを行った際には、ペーパーの終端が垂れ下がる姿勢となり、この垂れ下がり姿勢にあるペーパーの終端にガイド体が接触して巻き戻し方向に案内するので、ペーパーの先端が枠体の内壁面に掛かることなく送ることが可能となる。その結果、ペーパーの折れ曲がりや破損に繋がることがなく、この巻き戻しの後に送り出して使用する場合でも終端まで良好に使用できる。
【０００９】
本発明は、前記所定の姿勢は、前記開口から前記ペーパーを水平方向に送り出す姿勢と、前記開口から前記ペーパーを鉛直下方に送り出す姿勢との少なくとも１つの姿勢を含むよう構成しても良い。
【００１０】
この構成により、ペーパーマガジンが、ペーパーを水平方向に送り出す姿勢でも、ペーパーを鉛直下方に送り出す姿勢でも、ペーパーマガジン内で垂れ下がった姿勢にあるペーパーを円滑に送ることが可能となる。
【００１１】
本発明は、前記ガイド体が、前記軸部の軸芯に沿う方向視において、そのガイド面が前記軸芯を中心とした、ほぼ円形となる形状で前記枠体の内部に形成されても良い。
【００１２】
この構成により、開口からペーパーを水平方向に送り出す姿勢と、開口からペーパーを鉛直下方に送り出す姿勢との何れかの姿勢にセットした場合でも、ペーパーを巻き戻した場合には、ペーパーの終端部が必ずガイド体に接触するため、確実な案内を行えるものとなる。
【００１３】
本発明は、前記ガイド体が、前記ペーパーの表面に対して直交する姿勢で、前記枠体の内面に一体形成された複数のリブ状に構成しても良い。
【００１４】
この構成により、軸部の軸芯に沿う方向視で矩形となるペーパーマガジンの壁面に肉厚を増大させてガイド体を形成しなくとも、複数のリブ状となるガイド体を形成することによりペーパーの終端部をガイドできるものとなり、重量化を抑制しながら、枠体の強度を向上させることも可能となる。
【００１５】
本発明は、前記ガイド体が、前記ペーパーの巻き戻し時にペーパーの終端に接触して、その終端を前記軸部の方向に力を作用させる傾斜部を備えても良い。
【００１６】
この構成により、ガイド体の傾斜部にペーパーの終端が接触した場合には、その終端に対してガイド体の傾斜部から軸部の方向に分力を作用させ、ペーパーマガジンの内壁から離間させることができる。
【００１７】
本発明は、前記枠体が、前記軸部の軸芯と平行姿勢となる支軸周りで揺動開閉自在に連結された２部材で構成されると共に、前記ガイド体が前記２部材の隣接する位置に配置され、夫々のガイド体のうち前記ペーパーの巻き戻し時に下流側に位置するもののガイド面における前記軸芯からの距離を、上流側に位置するガイド面における前記軸芯からの距離より小さくする段差を形成しても良い。
【００１８】
この構成により、枠体が揺動開閉するよう２部材で構成されたものであり、この２部材に隣接する位置に配置されたガイド体のガイド面に段差を作り出すことにより、ペーパーを巻き戻す際には、ガイド体同士の間にペーパーの終端が入り込む不都合を回避して円滑な巻き戻しを実現する。
【発明を実施するための最良の形態】
【００１９】
以下、本発明の実施形態を図面に基づいて説明する。
図１〜図３に示すように、ペーパーマガジンＭは、全体として６面体となる箱状の枠体を備え、この枠体の内部に収容したペーパーとしてのロール状の印画紙Ｐ（印画紙ロール）の送り出しと巻き戻しとが可能に構成されている。前記枠体は、図３に示す方向視で矩形となる箱状であり、この箱状に成形されたペーパーマガジンＭの角部に備えたヒンジ１の支軸周りで揺動自在に主筐体２と副筐体３とを連結している。これによりペーパーマガジンＭは、図３に示す閉じ状態と、前記ヒンジ１の支軸１周りでの主筐体２と副筐体３との揺動により図４に示す如く主筐体２と副筐体３とを大きく離間させる開放状態とに切り換え自在に構成されている。このペーパーマガジンＭは、外面に備えた複数のバックル４で閉じ状態を維持し、この閉じ状態では内部への光線の侵入が阻止される。開放状態では、ロール状の印画紙Ｐの交換を行えるように構成されている。また、このペーパーマガジンでは、突出状態と格納状態とに切換え自在なハンドル５を備えることにより取り扱い性を高めている。
【００２０】
前記枠体の内部にはロール状の印画紙Ｐを支持する軸部Ｓを備え、この軸部Ｓに外嵌する状態で支持した印画紙Ｐを送り出すスリット状の開口６が主筐体２に形成されている。つまり、図２〜図８に示すように、ロール状の印画紙Ｐの軸部Ｓに支持した印画紙Ｐを主筐体２に備えた遊転型の中間ローラ７を介して前記開口６に導く経路が形成されている。この印画紙Ｐを導く経路のうち、中間ローラ７から開口６に至る経路は、主筐体２の側に設けた主壁面８と、副筐体３の側に設けた副壁面９との間の隙間状の空間で形成されている。ちなみに、前記ロール状の印画紙Ｐは図８に示す如く、中空となる巻芯４５に対して長尺の印画紙Ｐを巻き付けた形態であり、この巻芯４５を前記軸部Ｓに外嵌する形態でペーパーマガジンＭに収容される。
【００２１】
ペーパーマガジンＭは、前記主壁面８の側には主軸体１１に支持された主ローラ１２を備え、副壁面９には副軸体１３に支持された副ローラ１４を備えている。これら主ローラ１２と副ローラ１４とは、主筐体２と副筐体３とを閉じることにより圧接して印画紙Ｐを圧着状態で搬送出来るように構成されている。前記主軸体１１と副軸体１３との端部には閉じた状態において咬合する同じ歯数の同期ギヤ１５を備えている。副軸体１３のうち、同期ギヤ１５を備えた側の端部には入力ギヤ１６が設けられ、他方の端部には人為的に回転操作可能なノブ１８を備えている。尚、前記主ローラ１２と副ローラ１４とで本発明の搬送ローラが構成され、この搬送ローラは、ペーパーマガジンＭに収容されているロール状の印画紙Ｐから引き出されたペーパーを圧着して搬送力を作用させるものであり、この搬送ローラを正転させることにより、ペーパーマガジンＭに収容されている印画紙Ｐを前記開口６から送り出し、この搬送ローラを逆転させることにより、ペーパーマガジンＭから送り出されている印画紙Ｐをペーパーマガジン内に収容できるように構成されている。
【００２２】
前記入力ギヤ１６は副筐体３の外面に露出する位置に配置されており、この入力ギヤ１６は、該ペーパーマガジンを写真プリント装置（図１２を参照）にセットした場合に、写真プリント装置に備えた駆動ギヤ（図示せず）と咬合し、この駆動ギヤからの動力によって副ローラ１４と、主ローラ１２とに回転動力を伝えとともに、副筐体３の内部に備えた伝動機構Ｔを介して軸部Ｓに対して回転動力を伝えるように構成されている。
【００２３】
前記伝動機構Ｔは、伝動制御部ＴＣと、複数のギヤを有して成るギヤ伝動部ＴＧとで成り、このギヤ伝動部ＴＧからの動力が軸部Ｓに備えられたリングギヤ１７に咬合するよう構成されている。
【００２４】
具体的に説明すると、前記伝動制御部ＴＣは、図７に示すように、一対のブラケット２０に両端を支持された固定軸２１と、この一対のブラケット２０に対してボールベアリング２２を介して遊転支承された伝動軸２３とを有している。前記固定軸２１には小径の第１ギヤ２４及び大径の第２ギヤ２５を一体形成したギヤ体Ｇを備え、このギヤ体Ｇと一体回転する入力プーリ２６を備え、ギヤ体Ｇと連係する筒状の摩擦力作用機構２７を備え、この摩擦力作用機構２７と一体回転する第１一方向クラッチ２８を備えている。また、伝動軸２３には第２一方向クラッチ２９を有した第３ギヤ３０を前記第１ギヤ２４に咬合する状態で備え、また、この伝動軸２３に対して前記第２ギヤ２５に咬合する第４ギヤ３１を備え、この第４ギヤ３１と伝動軸２３との間で滑りを生じさせる状態で動力を伝えるスリップ伝動機構３２を備えている。
【００２５】
図２、図５に示すように前記副軸体１３に備えた出力プーリ３３と前記入力プーリ２６とに歯付ベルト３４を巻回し、この歯付ベルト３４に張力を作用させるテンションプーリ３５を一方のブラケット２０に支承してある。
【００２６】
前記摩擦力作用機構２７は、ギヤ体Ｇの側面（スラスト方向の面）に圧接する摩擦板２７Ａと、この摩擦板２７Ａをギヤ体の側面にバネの付勢力によって押し付ける支持材２７Ｂとを備えて成り、前記第１一方向クラッチ２８は支持材２７Ｂの端部に嵌合する筒状体２８Ａと、この筒状体２８Ａと固定軸２１との間に配置されたローラ型のクラッチ本体２８Ｂとで成っている。そして、このクラッチ本体２８Ｂは、前記副ローラ１４の印画紙Ｐ送り出し方向への回転と連係してギヤ体Ｇが回転する方向への回転を許し、これと逆方向、つまり、副ローラ１４が印画紙Ｐをマガジン内に戻す方向へ回転した際に該クラッチ本体２８Ｂが固定軸２１に対して拘束状態に達する結果、筒状体２８Ａの回転を阻止するよう特性が設定され、このように筒状体２８Ａの回転が阻止された場合には摩擦力作用機構２７からの制動力をギヤ体Ｇの回転に制動力を作用させるものとなる。
【００２７】
前記第２一方向クラッチ２９は第３ギヤ３０に一体形成した筒状部２９Ａと、この筒状部２９Ａに内装されたローラ型のクラッチ本体２９Ｂとで構成され、この第２一方向クラッチ２９は伝動軸２３が印画紙Ｐを送り出す方向へ回転した際には第３ギヤ３０に動力を伝えず、ロール状の印画紙Ｐが慣性によって印画紙Ｐを巻き戻す方向に回転した場合のように、ギヤ体Ｇが殆ど回転しない状態、あるいは、ギヤ体Ｇの回転が停止した状態で伝動軸２３が印画紙を送り出す方向に回転した際に、この伝動軸２３の回転力を第３ギヤ３０に伝えるよう特性が設定されている。そして、このように伝動軸２３が印画紙を巻き戻す方向に回転した際には、第３ギヤ３０に咬合する第１ギヤ２４の回転によって第１一方向クラッチ２８が回転阻止状態に達し、摩擦力作用機構２７からの制動力が伝動軸２３に作用して該伝動軸２３の回転を抑制する。
【００２８】
前記スリップ伝動機構３２は、第４ギヤの側面（スラスト方向の面）にバネの付勢力で圧接する摩擦板３２Ａと、この摩擦板３２Ａを介して伝動軸２３に回転力を伝えるよう伝動軸２３と一体回転状態に支持された支持体３２Ｂとで構成され、第４ギヤ３１と伝動軸との間に予め設定された値以上のトルクが作用した際に滑りを生ずるように構成されている。また、主ローラ１２と副ローラ１４とが印画紙Ｐを送り出す方向に回転した場合に、この主ローラ１２と副ローラ１４とで送り出される印画紙Ｐの長さと比較して、軸部Ｓに備えられたロール状の印画紙Ｐが送り出される長さが少なくなるよう軸部Ｓに回転力を伝える伝動系全体の伝動比が設定されている。尚、ロール状の印画紙Ｐは、印画紙Ｐが送り出されることにより巻き径が減少するので、この伝動比はロール状の印画紙Ｐの巻き径が最小の径にある状態を基準にして設定されている。
【００２９】
そして、第２ギヤ２５から印画紙Ｐを送り出す方向への回転動力が第４ギヤ３１に伝えられた場合には、主ローラ１２と副ローラとで軸部Ｓに備えた印画紙Ｐが送り出されると同時に、この回転力がギヤ体Ｇの第２ギヤ２５から第４ギヤ３１に伝えられ、スリップ伝動機構３２を介して伝動軸２３に伝えられるので軸部Ｓを印画紙送り出し方向に回転させるものの、この軸部Ｓの回転による印画紙Ｐの送り出し量が主ローラ１２と副ローラ１３とで印画紙Ｐを送り出す量より少ないのでスリップ伝動機構３２がスリップする状態となり、印画紙Ｐに張力を作用させるものとなっている。
【００３０】
ギヤ伝動部ＴＧは前記伝動軸２３と直結するギヤから前記最終のギヤまで互いに咬合する４つのギヤ３６をプレート３７に遊転支承して構成されている。また、図６、図８に示すように、前記軸部Ｓは、主軸部４１に対して回転自在に外嵌した筒状の回転軸部４２を有すると共に、回転軸部４２に対して、この回転軸部４２に外嵌状態で支持するロール状の印画紙Ｐの側面に接当する一対の位置規制ディスク４３を備えて構成され、主軸部４１の両端部には主筐体２と副筐体３とに挟み込まれて保持されるよう断面形状が６角形の保持部４１Ａが形成され、回転軸部４２の端部に対して前記リングギヤ１７が取付けられている。
【００３１】
このように伝動制御部ＴＣが構成されているので、入力ギヤ１６に伝えられる動力で印画紙Ｐを送り出す場合には、スリップ伝動機構３２に設定されたトルクに対応した張力を軸部Ｓと主ローラ１２と副ローラ１４との間に位置する印画紙Ｐに作用させる結果、ペーパーマガジン内の印画紙Ｐに弛みを発生させる不都合は解消される。また、この送り出しが停止した場合のようにギヤ体Ｇの回転が停止した場合にはスリップ伝動機構３２が伝動軸２３に制動力を緩やかに作用させることによりロール状の印画紙Ｐが動慣性によって印画紙Ｐを送り出し方向に回転し続ける不都合を解消している。
【００３２】
更に、このペーパーマガジンＭを持ち運ぶ際に外部から衝撃を与えた場合や、このペーパーマガジンＭを揺り動かした場合のように軸部Ｓが印画紙Ｐを巻き戻す方向に回転しようとした場合には、この方向に伝動軸２３が回転することにより第２一方向クラッチ２９が、伝動軸２３の回転力を第３ギヤ３０に伝え、更に、この回転力が第１ギヤ２４を介して摩擦力作用機構２７、及び、第１一方向クラッチ２８に伝えられる結果、第１一方向クラッチ２８が拘束状態に達し摩擦力作用機構２７からの摩擦力を伝動軸２３に作用させて伝動軸２３の回転を抑制するものとなり、印画紙Ｐが主ローラ１２と副ローラ１４との位置より軸部Ｓの側に引き込まれる不都合を回避できるものとなっている。そして、写真プリント装置でペーパーマガジンの交換を行う場合のようにペーパーマガジン内に印画紙Ｐを巻き戻す場合には、入力ギヤ１６に動力を伝えることにより、摩擦力作用機構２７から摩擦力が作用するものの印画紙Ｐの端部をペーパーマガジン内に戻せるように構成されている。
【００３３】
このペーパーマガジンＭでは、軸部Ｓの回転軸部４２に対してロール状の印画紙Ｐの巻芯４５を外嵌する形態で収容するものであり、幅が異なる印画紙Ｐを使用する場合には、前記回転軸部４２に取り付けた一対の位置規制ディスク４３の取り付け位置を印画紙Ｐの幅に対応させて調節し、前記主壁面８と副壁面９との間に規制部材Ｒの位置を、印画紙Ｐの幅に対応させて調節するように構成されている。
【００３４】
このペーパーマガジンＭを写真プリント装置にセットした状態を図１２のように示すことが可能である。つまり、この写真プリント装置では、露光部５０の下部に第１収納部５１と第２収納部５２と第３収納部５３との夫々にペーパーマガジンＭをセットすることが可能である。尚、前記第１収納部５１と第３収納部５３とペーパーマガジンＭをセットした場合には、前記開口６から印画紙Ｐを水平方向に送り出すよう該ペーパーマガジンＭの姿勢がセットされ、前記第２収納部５２にペーパーマガジンＭをセットした場合には、前記開口６から印画紙Ｐを鉛直下方に送り出す姿勢にセットされる。
【００３５】
また、この写真プリント装置では、３つのペーパーマガジンＭをセットした場合には、これら３つのペーパーマガジンＭの印画紙Ｐを第１アドバンスローラ５４、又は、第２アドバンスローラ５５からカッター５６に供給する。次に、このカッター５６でプリントサイズに切断された印画紙Ｐの裏面にドットマトリクス型の印字ヘッド５７によって必要な情報の印字を行う。この後に、印画紙Ｐを圧着搬送体５８で上方に搬送することにより露光部５０の圧着型の露光搬送ローラ５９に受け渡し、この露光搬送ローラ５９で搬送される印画紙Ｐに対して露光エンジン６０からのレーザビームを走査する形態で露光を行う。このように露光された印画紙Ｐは複数の搬送ローラ６１によって搬送方向を水平方向に変換され、更に、振り分けユニットを構成する一対のチャッカー６２によって２列の振り分け経路に振り分けられ、複数の圧着ローラを有した搬送ユニット６３から現像処理部（図示せず）に送り出されるように印画紙Ｐの搬送系が構成されている。
【００３６】
また、この写真プリント装置では、第１、第２、第３収納部５１、５２、５３に対してペーパーマガジンＭをセットする際の姿勢が異なるものである。つまり、第１収納部５１においては前記開口６を下部位置にして印画紙Ｐを水平方向に送り出し、第２収納部５２においては前記開口６を下方に向け印画紙Ｐを下方に送り出し、第３収納部５３においては前記開口６を上部にして印画紙Ｐを水平方向に送り出すように姿勢が設定される。
【００３７】
本発明のペーパーマガジンＭは、前述したように、３種の姿勢にセットされるものである。何れの姿勢にセットした場合でも、図９、図１０、図１１に示すように、その終端Ｐｅが前記巻芯４５から外れた後に、この印画紙Ｐを巻き戻した際には、印画紙Ｐの終端Ｐｅが枠体の内部において自重で垂れ下がるものであるが、本発明のペーパーマガジンＭのように、３種の何れの姿勢にセットした場合でも、垂れ下がり方向（下方側）となる枠体の内部にガイド体７０（後述する第１、第２、第３ガイド７１、７２、７３の総称）を形成することにより、折れ曲がることや傷付くことなく円滑に送るよう構成されている。尚、図９、図１０、図１１に示すペーパーマガジンＭの姿勢は、図１２において第１収納部５１、第２収納部５２、第３収納部５３に収納された状態の姿勢を示している。また、前記ガイド体７０は、印画紙Ｐの表面に対して直交する姿勢となる複数のリブ状に形成されている。
【００３８】
つまり、図８、図９に示すように、前記ガイド体７０は、副筐体３の内面に形成された第１ガイド体７１と、副筐体２の内面に形成された第２ガイド体７２と、前記主壁面８に形成された第３ガイド体７３とで構成されると共に、これら第１、第２、第３ガイド７１、７２、７３は、前記軸部Ｓの軸芯に沿う方向視において、そのガイド面Ｕが軸部Ｓの軸芯を中心としたほぼ円形となる形状に成形されている。尚、ガイド面Ｕの形状が軸部Ｓの軸芯を中心としたほぼ円形となる形状とは、このガイド面Ｕの形状が軸部Ｓの軸芯を中心とした真円を含み、軸部Ｓの軸芯を中心とする円周形状が歪んだ形状や、ガイド面Ｕの一部が途切れる形状や、ガイド面Ｕの一部に直線を含む形状のもの等、ガイド面Ｕの形状が全体として円形となるものを指している。
【００３９】
また、前記第１ガイド体７１と第２ガイド体７２とが隣接する部位では、枠体の開放時に分離する構造となるため、印画紙Ｐを巻き戻した際に、夫々のガイド体７１、７２のうち印画紙Ｐの巻き戻し時に下流側に位置するもののガイド面Ｕにおける前記軸芯からの距離を、上流側に位置するガイド面Ｕにおける前記軸芯からの距離より小さく設定することにより、段差Ｙを作り出しており、印画紙Ｐを巻き戻した際にも、印画紙Ｐの終端Ｐｅが前記第１ガイド体７１と第２ガイド体７２との間に入り込むこと不都合を招くことなく、円滑に印画紙Ｐの終端を送るように構成されている。
【００４０】
更に、前記第２ガイド体７２と第３ガイド体７３との間には前記主軸体１１を装着するために必要となる溝状の隙間が形成されているため、印画紙Ｐを巻き戻した場合には、この隙間に印画紙Ｐの終端Ｐｅが入り込むこともあり、この隙間に入り込んだ印画紙Ｐの終端Ｐｅを軸部Ｓの側に送り出すように、第３ガイド体７３に形成されるガイド面Ｕのうち、前記隙間に隣接するガイド面ＵＸ（傾斜部の一例）は印画紙Ｐの終端Ｐｅを軸部Ｓの側に送り出す傾斜姿勢に形成されている。つまり、ガイド面ＵＸは、印画紙Ｐを巻き戻した際に印画紙Ｐの終端Ｐｅに接当して、この終端Ｐｅを軸部Ｓの方向、即ち、ガイド面ＵＸを形成しているので印画紙Ｐの終端ＰｅをペーパーマガジンＭの内側に送り出せるのである。
【００４１】
前記複数のリブ状のガイド体７０は、一定間隔で複数形成されるものの個々の強度はさ程高くなく、夫々のガイド体７０の形成面と直交する姿勢となる複数の補強フレーム７５が連結する形態で設け、夫々のガイド体７０の強度を高めている。
【００４２】
このように、本発明によると、ペーパーマガジンＭを３種の何れの姿勢にセットした状態で用い、印画紙Ｐの終端Ｐｅが巻芯４５から外れるまで印画紙Ｐを使用した後に、印画紙Ｐを枠体内に巻き戻した場合でも、その終端Ｐｅが重力によって内部で垂れ下がる形態となるものの、この垂れ下がり状態の印画紙Ｐの終端Ｐｅに対してガイド体７０が接触して円滑に送るので、例えば、印画紙Ｐの終端Ｐｅを枠体の内面に対して直接的に接触させるものと比較して、印画紙Ｐに折れ曲がりや、傷の発生等を回避した状態で円滑な巻き戻しを実現するのである。
【００４３】
〔別実施の形態〕
本発明は、上記した実施の形態以外に以下のように構成しても良い。
【００４４】
（イ）ガイド体を、枠体と別個に作り出した部材を、枠体の内面に取付けることにより本発明のガイド体を形成する。このようにガイド体を別途作り出して取付けるものでは、ガイド体を備えていない既存のペーパーマガジンを改良できるものとなる。
【００４５】
（ロ）ガイド体を、印画紙に接触して回転する複数の遊転型のローラを枠体の内部に備えることによって構成する。このように複数のローラ備えるものでは印画紙Ｐに対して強い抵抗を作用させることなく軽快に印画紙Ｐの巻き戻しを行えるものとなる。
【００４６】
（ハ）印画紙Ｐの巻き戻し時に軸部に回転力を作用させる構造に代えて、特許文献２のようにロール状印画紙の外周に接触するローラ類を駆動する構造を採用する。
【図面の簡単な説明】
【００４７】
【図１】ペーパーマガジンの斜視図
【図２】パーパーマガジン内部の伝動機構の概要を示す斜視図
【図３】ペーパーマガジンの伝動機構を示す縦断正面図
【図４】開放状態のペーパーマガジンを示す縦断正面図
【図５】ペーパーマガジン内部の伝動機構とガイド体の配置を示す図
【図６】ペーパーマガジンの横断平面図
【図７】伝動制御機構の構造を示す断面図
【図８】ペーパーマガジンの内部構造を示す縦断正面図
【図９】印画紙を巻き戻した際の状況を示すペーパーマガジンの縦断正面図
【図１０】印画紙を巻き戻した際の状況を示すペーパーマガジンの縦断正面図
【図１１】印画紙を巻き戻した際の状況を示すペーパーマガジンの縦断正面図
【図１２】写真プリント装置の露光部におけるペーパーマガジンの配置を示す断面図
【符号の説明】
【００４８】
６            開口
１２、１３    搬送ローラ
７０          ガイド体
Ｐ            ペーパー
Ｐｅ          終端
Ｓ            軸部
Ｔ            伝動機構
Ｕ            ガイド面
【図１】
2006001677.tif 000003
【図２】
2006001677.tif 000004
【図３】
2006001677.tif 000005
【図４】
2006001677.tif 000006
【図５】
2006001677.tif 000007
【図６】
2006001677.tif 000008
【図７】
2006001677.tif 000009
【図８】
2006001677.tif 000010
【図９】
2006001677.tif 000011
【図１０】
2006001677.tif 000012
【図１１】
2006001677.tif 000013
【図１２】
2006001677.tif 000014
【手続補正書】
【提出日】平成17年6月16日(2005.6.16)
【手続補正１】
【補正対象書類名】特許請求の範囲
【補正対象項目名】請求項６
【補正方法】変更
【補正の内容】
【請求項６】
前記枠体が、前記軸部の軸芯と平行姿勢となる支軸周りで揺動開閉自在に連結された２部材で構成されると共に、前記ガイド体が前記２部材の隣接する位置に配置され、夫々のガイド体のうち前記ペーパーの巻き戻し時に下流側に位置するもののガイド面における前記軸芯からの距離を、上流側に位置するガイド面における前記軸芯からの距離より大きくする段差を形成してある請求項１又は２記載のペーパーマガジン。
【手続補正２】
【補正対象書類名】明細書
【補正対象項目名】００１７
【補正方法】変更
【補正の内容】
【００１７】
本発明は、前記枠体が、前記軸部の軸芯と平行姿勢となる支軸周りで揺動開閉自在に連結された２部材で構成されると共に、前記ガイド体が前記２部材の隣接する位置に配置され、夫々のガイド体のうち前記ペーパーの巻き戻し時に下流側に位置するもののガイド面における前記軸芯からの距離を、上流側に位置するガイド面における前記軸芯からの距離より大きくする段差を形成しても良い。
【手続補正３】
【補正対象書類名】明細書
【補正対象項目名】００２１
【補正方法】変更
【補正の内容】
【００２１】
ペーパーマガジンＭは、前記主壁面８の側には主軸体１１に支持された主ローラ１２を備え、副壁面９には副軸体１３に支持された副ローラ１４を備えている。これら主ローラ１２と副ローラ１４とは、主筐体２と副筐体３とを閉じることにより圧接して印画紙Ｐを圧着状態で搬送出来るように構成されている。前記主軸体１１と副軸体１３との端部には閉じた状態において咬合する同じ歯数の同期ギヤ１５を備えている。副軸体１３のうち、同期ギヤ１５を備えた側の端部には人為的に回転操作可能なノブ１８に設けられ、他の端部には入力ギヤ１６を備えている。尚、前記主ローラ１２と副ローラ１４とで本発明の搬送ローラが構成され、この搬送ローラは、ペーパーマガジンＭに収容されているロール状の印画紙Ｐから引き出されたペーパーを圧着して搬送力を作用させるものであり、この搬送ローラを正転させることにより、ペーパーマガジンＭに収容されている印画紙Ｐを前記開口６から送り出し、この搬送ローラを逆転させることにより、ペーパーマガジンＭから送り出されている印画紙Ｐをペーパーマガジン内に収容できるように構成されている。
【手続補正４】
【補正対象書類名】明細書
【補正対象項目名】００３９
【補正方法】変更
【補正の内容】
【００３９】
また、前記第１ガイド体７１と第２ガイド体７２とが隣接する部位では、枠体の開放時に分離する構造となるため、印画紙Ｐを巻き戻した際に、夫々のガイド体７１、７２のうち印画紙Ｐの巻き戻し時に下流側に位置するもののガイド面Ｕにおける前記軸芯からの距離を、上流側に位置するガイド面Ｕにおける前記軸芯からの距離より大きく設定することにより、段差Ｙを作り出しており、印画紙Ｐを巻き戻した際にも、印画紙Ｐの終端Ｐｅが前記第１ガイド体７１と第２ガイド体７２との間に入り込むこと不都合を招くことなく、円滑に印画紙Ｐの終端を送るように構成されている。
【手続補正５】
【補正対象書類名】図面
【補正対象項目名】図１
【補正方法】変更
【補正の内容】
【図１】
2006001677.tif 000015